(57)【要約】セル内干渉を回避または抑圧するために、セルの各セクタは、システム資源（例えばサブバンド）のセクタ固有セットおよびシステム資源の少なくとも１つのオーバラップしない共通セットに関係づけられる。各セクタのための各共通セットは、セル内の少なくとも１つの他のセクタからの干渉をほとんどまたは全く観測しないシステム資源を含む。与えられたセクタｘ内の端末に対するチャンネル状態は、端末に対する順方向および／または逆方向リンク測定値に基づいて確認される。端末は、端末のチャンネル状態に基づいてセクタｘのための共通セットまたはセクタ固有セットからシステム資源を割り当てられる。例えば、端末が別のセクタｙからの高い干渉を観測する場合、端末はセクタｙからの干渉をほとんどまたは全く観測しない共通セットからシステム資源を割り当てられる。本方法は周波数ホッピングを用いるＯＦＤＭＡシステムに用いられるかもしれない。【選択図】      図１０
2008502280.tif 000002
【特許請求の範囲】
【請求項１】
端末に対するチャネル状態を決定することと、
少なくとも端末に対するチャネル状態に基づいて、端末に第１のセットまたは共通セットからシステム資源を割り当てることとを含み、第１のセットおよび共通セットがオーバラップしておらずまた異なるシステム資源を含み、第１のセットがセルの第１のセクタ内の端末に割当可能なシステム資源を含み、かつ共通セットはセル内の第１のセクタおよび少なくとも１つの他のセクタからの干渉が、あったとしても、ほとんどないシステム資源を含む、無線通信システムにおけるシステム資源割り当て方法。  
【請求項２】
端末を、少なくとも端末に対するチャンネル状態に基づいて複数のグループの１つに分類することをさらに含み、各グループがシステム資源の異なるセットに関連しており、端末は、少なくとも端末が分類されているグループに基づいてシステム資源を割り当てられる、請求項１に記載の方法。
【請求項３】
端末が、第１のおよび共通セット内のシステム資源の量、または第１のおよび共通セット内のシステム資源を共有する他の端末の数、またはその双方にさらに基づいて複数のグループの１つへ分類される、請求項２に記載の方法。
【請求項４】
端末が、サービス品質（ＱｏＳ）に対する情報、システム負荷、公平性要求、またはそれらの任意の組合せにさらに基づいてシステム資源を割り当てられる、請求項１に記載の方法。
【請求項５】
システム資源が、周波数サブバンドであり、かつ端末が第１のセットまたは共通セットから少なくとも１つの周波数サブバンドを割り当てられる、請求項１に記載の方法。
【請求項６】
システム資源が、タイムスロットであり、かつ端末が第１のセットまたは共通セットから少なくとも１つのタイムスロットを割り当てられる、請求項１に記載の方法。
【請求項７】
システム資源が、無線周波数（ＲＦ）チャネルであり、かつ端末が第１のセットまたは共通セットから少なくとも１つのＲＦチャネルを割り当てられる、請求項１に記載の方法。
【請求項８】
共通セット内のシステム資源が、ソフタハンドオフ中および第１のセクタ並びに少なくとも１つの他のセクタと交信中に端末に割り当て可能である、請求項１に記載の方法。
【請求項９】
共通セット内のシステム資源が、第１のセクタと少なくとも１つの他のセクタとの間の境界上に位置している端末へ割当可能である、請求項１に記載の方法。
【請求項１０】
セルが、第１のセクタおよび第２の並びに第３のセクタを含み、かつ共通セットは、セル内の第１、第２、並びに第３のセクタからの干渉が、あったとしても、ほとんどないシステム資源を含む、請求項１に記載の方法。
【請求項１１】
セルが、第１のセクタおよび第２並びに第３のセクタを含み、かつ共通セットは、セル内の第１並びに第２のセクタからの干渉が、あったとしても、ほとんどないシステム資源を含む、請求項１に記載の方法。
【請求項１２】
共通セット内のシステム資源が、第３のセル内の端末に割当可能なシステム資源の第２のセット内に含まれる、請求項１１に記載の方法。
【請求項１３】
端末に対するチャネル状態を決定することが、
端末に対するパイロット測定値を得ることと、
パイロット測定値に基づいて少なくとも１つの他のセクタからの端末によって観測される干渉量を決定することとを含み、端末が少なくとも１つの他のセクタからの高い干渉を観測する場合には、端末が共通セットからシステム資源を割り当てられる、請求項１に記載の方法。
【請求項１４】
端末に対するチャネル状態を決定することが、
第１のセットおよび共通セットに対する受信した信号品質推定値を得ることを含み、端末が、受信した信号品質推定値に基づいて第１のセットまたは共通セットからシステム資源を割り当てられる、請求項１に記載の方法。
【請求項１５】
無線通信システムが、直交周波数分割多重方式（ＯＦＤＭ）を利用し、第１のセットおよび共通セット内のシステム資源がＯＦＤＭを介して得る周波数サブバンドである、請求項１に記載の方法。
【請求項１６】
無線通信システムが周波数ホッピングを利用する直交周波数分割多元接続（ＯＦＤＭＡ）システムであり、第１の複数の周波数ホッピング（ＦＨ）パターンが第１のセットに対して定義され、第２の複数の周波数ホッピング（ＦＨ）パターンが共通セットに対して定義され、端末が第１または第２の複数のＦＨパターンから選択されるＦＨパターンを割り当てられる、請求項１に記載の方法。
【請求項１７】
周波数ホッピング（ＦＨ）を利用する直交周波数分割多元接続（ＯＦＤＭＡ）システムにおいて周波数サブバンドを割り当てる方法であって、
端末に対するチャンネル状態を決定することと、
少なくとも端末に対するチャンネル状態に基づいて第１の複数のＦＨパターンまたは第２の複数のＦＨパターンから１つのＦＨパターンを端末に割り当てることとを含み、  第１の複数のＦＨパターンが周波数サブバンドの第１のセットに対して定義され、第２の複数のＦＨパターンが周波数サブバンドの共通セットに対して定義され、第１のセットと共通セットがオーバラップしておらず、かつ異なる周波数サブバンドを含み、第１のセットがセルの第１のセクタ内の端末へ割当可能な周波数サブバンドを含み、かつ共通セットはセル内の第１のセクタおよび少なくとも１つの他のセクタからの干渉が、あったとしても、ほとんどない周波数サブバンドを含む方法。
【請求項１８】
端末を、少なくとも端末に対するチャンネル状態、第１および第２の複数のＦＨパターン内のＦＨパターン数、第１および第２の複数のＦＨパターン内のＦＨパターンを割り当てられる他の端末数、またはそれらの組合せに基づいて複数のグループの１つに分類することをさらに含み、端末は、少なくとも端末が分類されているグループに基づいて、ＦＨパターンを割り当てられる、請求項１７に記載の方法。
【請求項１９】
端末に対するチャネル状態を決定する操作が可能な制御器と、
少なくとも端末に対するチャネル状態に基づいて、端末に第１のセットまたは共通セットからシステム資源を割り当てる操作が可能なスケジューラとを含み、第１のセットおよび共通セットがオーバラップしておらずかつ異なるシステム資源を含み、第１のセットがセルの第１のセクタ内の端末に割当可能なシステム資源を含み、かつ共通セットはセル内の第１のセクタおよび少なくとも１つの他のセクタからの干渉が、あったとしても、ほとんどないシステム資源を含む、無線通信システム内の装置。
【請求項２０】
セルが、第１のセクタおよび第２並びに第３のセクタを含み、かつ共通セットは、セル内の第１、第２並びに第３のセクタからの干渉が、あったとしても、ほとんどないシステム資源を含む、請求項１９に記載の装置。
【請求項２１】
セルが、第１のセクタおよび第２並びに第３のセクタを含み、かつ共通セットは、セル内の第１並びに第２のセクタからの干渉が、あったとしても、ほとんどないシステム資源を含む請求項１９に記載の装置。
【請求項２２】
端末に対するチャネル状態を決定するための手段と、
少なくとも端末に対するチャネル状態に基づいて、端末に第１のセットまたは共通セットからシステム資源を割り当てるための手段とを含み、第１のセットおよび共通セットがオーバラップしておらずかつ異なるシステム資源を含み、第１のセットがセルの第１のセクタ内の端末に割当可能なシステム資源を含み、かつ共通セットはセル内の第１のセクタおよび少なくとも１つの他のセクタからの干渉が、あったとしても、ほとんどないシステム資源を含む、無線通信システムにおける装置。
【請求項２３】
セルが、第１のセクタおよび第２並びに第３のセクタを含み、かつ共通セットは、セル内の第１、第２並びに第３のセクタからの干渉が、あったとしても、ほとんどないシステム資源を含む、請求項２２に記載の装置。
【請求項２４】
セルが、第１のセクタおよび第２並びに第３のセクタを含み、かつ共通セットは、セル内の第１並びに第２のセクタからの干渉が、あったとしても、ほとんどないシステム資源を含む、請求項２２に記載の装置。
【請求項２５】
セルのために利用可能である全システム資源の中からシステム資源の少なくとも１つの共通セットを形成することであって、各共通セットがセル内の少なくとも２つのセクタの異なる組み合わせに対して定義され、かつ少なくとも２つのセクタからの干渉が、あったとしても、ほとんどないシステム資源を含む、共通セットを形成することと、
セル内の各セクタのためのシステム資源のセクタ固有セットを形成することであって、各セクタのためのセクタ固有セットがセクタに対して定義される各共通セット内のシステム資源を除く全システム資源のすべてを含む、セクタ固有セットを形成することとを含み、
セル内の端末が、少なくとも端末に対するチャネル状態に基づいて、各セクタのためのセクタ固有セット内のシステム資源および少なくとも１つの共通セットを割り当てられる、無線通信システムにおけるシステム資源割り当て方法。
【請求項２６】
無線通信システムが、直交周波数分割多重方式（ＯＦＤＭ）を利用し、全システム資源がＯＦＤＭを介して得る複数の周波数サブバンドである、請求項２５に記載の方法。
【請求項２７】
セルが、第１、第２および第３のセクタを含み、かつ各セクタは、第１、第２および第３のセクタからの干渉が、あったとしても、ほとんどない周波数サブバンドの第１の共通セットに関連している、請求項２６に記載の方法。
【請求項２８】
第１のセクタが、第２および第３の共通セットにさらに関連しており、第２の共通セットは第１および第２のセクタからの干渉が、あったとしても、ほとんどない周波数サブバンドを含み、第３の共通セットは第１および第３のセクタからの干渉が、あったとしても、ほとんどない周波数サブバンドを含む、請求項２７に記載の方法。
【請求項２９】
セルのために利用可能である全システム資源の中からシステム資源の少なくとも１つの共通セットを形成するための手段であって、各共通セットがセル内の少なくとも２つのセクタの異なる組み合わせに対して定義され、かつ少なくとも２つのセクタからの干渉が、あったとしても、ほとんどないシステム資源を含む手段と、
セル内の各セクタのためのシステム資源のセクタ固有セットを形成するための手段であって、各セクタのためのセクタ固有セットがセクタに対して定義される各共通セット内のシステム資源を除く全システム資源のすべてを含む手段とを含み、
セル内の端末が、少なくとも端末に対するチャネル状態に基づいて、各セクタのためのセクタ固有セット内のシステム資源および少なくとも１つの共通セットを割り当てられる、無線通信システムにおける装置。
【請求項３０】
端末に対するシステム資源の割当を得ることであって、端末に割り当てられたシステム資源が少なくとも端末に対するチャネル状態に基づいて第１のセットまたは共通セットから選択され、第１のセットおよび共通セットがオーバラップしておらず、かつ異なるシステム資源を含み、第１のセットがセルの第１のセクタ内の端末に割当可能なシステム資源を含み、かつ、共通セットが第１のならびにセル内の少なくとも１つの他のセクタからの干渉が、あったとしても、ほとんどないシステム資源を含む、割当を得ることと、
端末に割り当てられるシステム資源の制御表示を生成することとを含む、無線通信システムにおけるデータ伝送方法。
【請求項３１】
データシンボルを得るために端末に対するデータを処理することと、
制御に基づいて端末に割り当てられるシステム資源上へデータシンボルを写像することとをさらに含む、請求項３０に記載の方法。
【請求項３２】
受信シンボルを得るために受信データ伝送を処理することと、
制御に基づいて端末へ割り当てられるシステム資源から受信シンボルを逆写像することとをさらに含む、請求項３０に記載の方法。
【請求項３３】
端末がシステム資源を共通セットから割り当てられ、かつデータが少なくとも２つのセクタのための少なくとも２つの基地局から端末へ送られる、請求項３０に記載の方法。
【請求項３４】
少なくとも２つの基地局からデータ伝送を受信することと、
基地局に対する軟判定シンボルを得るために各基地局からの受信データ伝送を処理することと、
少なくとも２つの基地局に対して得た軟判定シンボルを結合することと、
端末のための復号データを得るために結合した軟判定シンボルを復号することとをさらに含む、請求項３３に記載の方法。
【請求項３５】
端末がシステム資源を共通セットから割り当てられ、かつデータが少なくとも２つのセクタのための少なくとも２つの基地局へ端末により送られる、請求項３０に記載の方法。
【請求項３６】
少なくとも２つの基地局により端末からのデータ伝送を受信することと、
基地局に対する軟判定シンボルを得るために各基地局において受信データ伝送を処理することと、
端末に対して少なくとも２つの基地局において得た軟判定シンボルを結合することと、
端末のための復号データを得るために結合軟判定シンボルを復号することとをさらに含む、請求項３５に記載の方法。
【請求項３７】
無線通信システムが、直交周波数分割多重方式（ＯＦＤＭ）を利用し、かつ端末に割り当てられたシステム資源が、少なくとも１つの周波数サブバンドを含む請求項３０に記載の方法。
【請求項３８】
無線通信システムが、周波数ホッピング（ＦＨ）を利用する直交周波数分割多元接続（ＯＦＤＭＡ）システムであり、かつ制御が、異なる時間インターバルにおいてデータ伝送に用いるための異なる周波数サブバンドを指示する、請求項３０に記載の方法。
【請求項３９】
端末のためのシステム資源の割当を得て、端末に割り当てられたシステム資源の制御表示を生成する操作が可能な制御器であって、端末に割り当てられたシステム資源が少なくとも端末に対するチャネル状態に基づいて第１のセットまたは共通セットから選択され、第１のセットおよび共通セットがオーバラップしておらずまた異なるシステム資源を含み、第１のセットがセルの第１のセクタ内の端末に割当可能なシステム資源を含み、かつ共通セットはセル内の第１のセクタおよび少なくとも１つの他のセクタからの干渉が、あったとしても、ほとんどないシステム資源を含む、制御器を含む無線通信システムにおける装置。
【請求項４０】
データシンボルを得るために端末のためのデータを処理する操作が可能なデータプロセッサと、
端末に割り当てられるシステム資源上へ制御に基づいてデータシンボルを写像する操作が可能な写像器とをさらに含む、請求項３９に記載の方法。
【請求項４１】
受信シンボルを得るために受信データ伝送を処理する操作が可能な復調器と、
制御に基づいて端末に割り当てられたシステム資源から受信シンボルを逆写像する操作が可能な逆写像器とをさらに含む、請求項３９に記載の装置。
【請求項４２】
端末に対するシステム資源の割当を得るための手段であって、端末に割り当てられたシステム資源が少なくとも端末に対するチャネル状態に基づいて第１のセットまたは共通セットから選択され、第１のセットおよび共通セットがオーバラップしておらず、かつ異なるシステム資源を含み、第１のセットがセルの第１のセクタ内の端末に割当可能なシステム資源を含み、かつ、共通セットは第１のならびにセル内の少なくとも１つの他のセクタからの干渉が、あったとしても、ほとんどないシステム資源を含む手段と、
端末に割り当てられるシステム資源の制御表示を生成するための手段とを含む、無線通信システムにおける装置。
【請求項４３】
データシンボルを得るために端末に対するデータを処理するための手段と、
制御に基づいて端末に割り当てられるシステム資源上へデータシンボルを写像するための手段とをさらに含む、請求項４２に記載の方法。
【請求項４４】
受信シンボルを得るために受信データ伝送を処理するための手段と、
制御に基づいて端末へ割り当てられるシステム資源から受信シンボルを逆写像するための手段とをさらに含む、請求項４２に記載の方法。
【発明の詳細な説明】
【技術分野】
【０００１】
関連出願
本出願は、２００４年６月８日出願の米国仮出願番号60/578、214に対する優先権を主張する。これはここに参照によって全体として組み込まれる。
【０００２】
発明の分野
本発明は一般には通信に関する。より詳細には無線通信におけるデータ伝送に関する。
【背景技術】
【０００３】
多元接続システムは、複数の端末に対する通信を順方向リンクおよび逆方向リンク上で並行してサポートすることができる。順方向リンク（または、下りリンク）は基地局から端末への通信リンクを指し、逆方向リンク（または、上りリンク）は端末から基地局への通信リンクを指す。複数の端末は同時に、逆方向リンク上でデータを送信および／または順方向リンク上でデータを受信するかもしれない。これは、各リンク上で、時間、周波数、および／または符号領域で互いに直交するようにデータ伝送を多重化することによって達成されるかもしれない。直交性は、各端末へのデータ伝送が他の端末へのデータ伝送と干渉しないことを確実にする。
【０００４】
多元接続システムには通常多くのセルがある。ここで用語「セル」は、その用語が用いられる文脈によって基地局および／またはそのカバレッジ領域を指す。容量を増加させるために、各基地局のカバレッジ領域は適切なアンテナ放射パターンを用いることによって複数の（例えば３個の）セクタに分割されるかもしれない。各セクタでは基地局送受信サブシステム（ＢＴＳ）を利用している。同一セルのすべてのセクタ用のＢＴＳは、そのセル用の基地局の内部に通常置かれており、これらのセクタは共通配置されていると考えられる。一般に、用語「セクタ」は、その用語が用いられる文脈によってＢＴＳおよび／またはそのカバレッジ領域を指す。
【０００５】
セクタ化されたシステムにおいては、各セルのセクタは通常同一周波数帯を利用する。したがって、与えられたセルの各セクタの内のデータ伝送は、同一セルの他のセクタ内のデータ伝送との起こりうる干渉を代理的に表している。同一セル内の複数のセクタ間の干渉分離は、アンテナ利得がセクタに対して意図したカバレッジ領域の外側で急激に低下するように各セクタ用アンテナ放射パターンを制御することによって通常達成される。しかし、各セクタの端部は隣接セクタの端部と通常オーバラップする。従って、同じセルの２つのセクタの間の境界に位置している端末は隣接セクタから高い「セル内」干渉を観測するかもしれない。この干渉は性能を大幅に低下させるかもしれない。
【発明の開示】
【発明が解決しようとする課題】
【０００６】
それ故、当業者には同じセルのセクタの間の境界に位置する端末に対するセル内干渉の有害な影響を緩和する技術に対する要求がある。
【課題を解決するための手段】
【０００７】
端末に対するセル内干渉を効率的に回避または抑圧する方法をここに説明する。これらの方法は、「セル内共通再使用」方法と呼ばれ、種々の無線通信システムにおいて順方向および逆方向リンク双方に対して用いられるかもしれない。セル内共通再使用により、セルの各セクタは、システム資源のセクタ固有セットおよびシステム資源の少なくとも１つの共通セットに関係づけられる。システム資源は、周波数サブバンド、タイムスロットなどであるかもしれない。各セクタ用のセクタ固有セットは、セル内の少なくとも１つの共通セットとオーバラップしておらず、またそれと異なるシステム資源を含む。各セクタ用の各共通セットは、セル内の少なくとも１つの他のセクタからの干渉をほとんどまたは全く観測しないシステム資源を含む。後に説明するように、異なる共通セットがセル内共通再使用の異なる実施例に対して定義されるかもしれない。
【０００８】
与えられたセクタｘ内の１つの端末にシステム資源を割り当てるために、最初にその端末に対するチャンネル状態が、例えば端末によってなされる異なるセクタに対する順方向リンク測定、および／または異なるセクタによりなされる端末に対する逆方向リンク測定に基づいて確認される。端末は、少なくとも端末のチャネル状態に基づいて、セクタｘ用の共通セットまたはセクタ固有セットからシステム資源を割り当てられる。例えば、端末が別のセクタｙからの高い干渉を観測する場合、端末はセクタｙとの干渉をほとんどまたは全く観測しない共通セットからシステム資源を割り当てられるかもしれない。また、端末が「ソフタ」ハンドオフ中で、セクタｘおよびｙ双方と通信中の場合は、端末はこの共通セットから資源を割り当てられるかもしれない。いずれの場合でも、端末のためのデータ伝送は割り当てられたシステム資源を用いて順方向および／または逆方向リンクで送られる。
【０００９】
セル内共通再使用は直交周波数分割多重方式（ＯＦＤＭ）を利用した直交周波数分割多元接続（ＯＦＤＭＡ）システムに用いられるかもしれない。ＯＦＤＭＡシステムにおいて、各共通セットおよび各セクタ固有セットは複数の周波数サブバンドを含み、端末はデータ伝送用に１つ以上の周波数サブバンドが割り当てられるかもしれない。周波数ホッピングＯＦＤＭＡ（ＦＨ−ＯＦＤＭＡ）システムにおいて、複数の直交したＦＨパターンが各共通セットおよび各セクタ固有セット用に形成されるかもしれない。端末はデータ伝送用に１セットから１つのＦＨパターンが割り当てられるかもしれない。
【００１０】
本発明の種々の態様および実施例は後に詳述される。
【発明を実施するための最良の形態】
【００１１】
同じ参照記号は全般にわたり同じとして取り扱う図面と共に、本発明の特徴および本質は、後に記載された詳細な説明からより明らかになるだろう。
【００１２】
「代表的」という言葉は、ここでは「例、実例、または例証として役立つこと」を意味するために用いられる。ここで「代表的」と説明されたいかなる実施例または設計も、必ずしも他の実施例より好ましいまたは有利であると解釈されるべきではない。
【００１３】
ここに説明するセル内共通再使用方法は種々の無線多元接続通信システムに用いられるかもしれない。明快さのために、これらの方法はＯＦＤＭを利用するＯＦＤＭＡシステムについて説明される。ＯＦＤＭはシステムの全帯域幅を複数（Ｎ個）の直交周波数サブバンドに効果的に分割する。これらはトーン、副搬送波、ビン、周波数チャンネルなどとも呼ばれる。各サブバンドはデータで変調されるかもしれないそれぞれの副搬送波に関係づけられる。
【００１４】
図１に多くの無線端末１２０のための通信をサポートする多くの基地局１１０を有する代表的ＯＦＤＭＡシステム１００を示す。基地局は、端末と交信するために用いられる固定交信局であり、アクセスポイント、ノードＢとも、または他の用語で呼ばれるかもしれない。端末１２０は通常システム全体に分散されており、各端末は固定、または移動であるかもしれない。端末は移動局、ユーザ機器（ＵＥ）、無線通信デバイスとも、または他の用語で呼ばれるかもしれない。各端末は順方向および逆方向リンク上で何時でも、１つのまたは場合により複数の基地局と交信するかもしれない。集中型アーキテクチャにおいては、システム制御器１３０は基地局と結合し、これらの基地局のための調整および制御を提供する。分散アーキテクチャにおいては、基地局は例えば端末のために動作し、システム資源の利用を調整し、その他のために必要に応じてお互いに交信するかもしれない、
各基地局１１０はそれぞれの地理的領域に対して通信カバレッジを提供する。各基地局のカバレッジ領域は指向性アンテナの放射パターンを用いて複数（例えば３個）のセクタに分割されるかもしれない。
【００１５】
図２にセクタ用の代表的アンテナの放射パターン２１０を示す。アンテナ放射パターンは異なる角度における正規化アンテナ利得を示す。ここで正規化は最大アンテナ利得を０デシベル（ｄＢ）となるようにしている。アンテナ放射パターン２１０は−３ｄＢビーム幅が約６５°の１つの主ビームを有する。
【００１６】
図３Ａに３つのセクタ３１２ａ、３１２ｂ、および３１２ｃを有するセル３１０を示す。これらをそれぞれセクタ１、２、および３と名付ける。各セクタはそれぞれのアンテナ放射パターン２１０によって定義されるかもしれない。３つのセクタ用の３つのアンテナ放射パターンの主ビームは互いに水平角度１２０°の間隔で指向するかもしれない。適切なアンテナ放射パターンを用いることにより、これらのセクタの大部分のユーザにとって、３つのセクタ間の干渉分離度は良好である。
【００１７】
図３Ｂに、セル３１０内の２つのユーザｕおよびｖにより観測されるセル内干渉を示す。このセルは図２に示す６５°のアンテナ放射パターンを用いる。ユーザｕは、セクタ１から水平角度３２．５°の位置にあり、セクタ１に対して−３ｄＢのアンテナ利得を有している。ユーザｕは、また水平角度８７．５°にあるセクタ２に対して−１８ｄＢのアンテナ利得、および水平角度１５２．５°にあるセクタ３に対して−３１ｄＢのアンテナ利得を有している。ユーザｕによって観測されるセクタ２および３双方からのセル内干渉はセクタ１からの所望信号レベルより１４．８ｄＢ低い。ユーザｖは、セクタ１から水平角度６０°の位置にあり、セクタ１と３の間の境界上にある。ユーザｖによって観測されるセル内干渉は所望信号レベルより高いことを示すことができる。
【００１８】
一般に、各基地局のカバレッジ領域は任意の大きさ並びに形状であるかもしれないし、また、地形、障害物その他の種々の要因に依存するかもしれない。各セクタの大きさ、形状は、他の要因と同様、そのセクタ用のアンテナ放射パターンに依存している。セルの複数のセクタは通常オーバラップしており、セル用の良好な通信カバレッジを確実にし、かつセクタ間のハンドオフを容易にする。セル／セクタは連続的な領域であるかもしれないし、そうでないかもしれない。またセル／セクタの端部は非常に複雑であるかもしれない。
【００１９】
通常各セクタはＢＴＳを利用する。同じセルのすべてのセクタ用のＢＴＳは、通常そのセル用の基地局内に置かれている。簡単さのために、以下の説明において、用語「基地局」はセルのために動作する固定局およびセクタのために動作する固定局の両方に用いられる。「利用する」基地局または「利用する」セクタは端末が交信するものである。また、用語「端末」および「ユーザ」は互換性を持ってここに用いられる。
【００２０】
ＯＦＤＭＡシステムでは、異なるチャンネル状態を有するユーザが各セル全体に分布されているかもしれない。これらのユーザはセル内干渉に対して異なる寄与および許容度があるかもしれない。各ユーザに対するチャンネル状態は、受信パイロット強度、受信パイロット電力、チャネル利得、信号対干渉並びに雑音比（ＳＩＮＲ）、および／または１つ以上のセクタに対する他の測定値によって定量化されるかもしれない。セクタの境界に位置するユーザ（または、単に「セクタ端部ユーザ」）は通常不十分なチャネル状態にある。このチャネル状態とは例えば利用セクタに対する低チャネル利得に起因するそのセクタに対する低いＳＩＮＲ、高いセル内干渉、その他である。一般に、セクタ端部ユーザは、一般的にセル内干渉に許容度が小さく、隣接セクタ内の他のユーザへのより大きな干渉を引き起こし、不十分な性能であって、公平性要求を課すシステムにおいてはボトルネックであるかもしれない。
【００２１】
セル内共通再使用方法は、セクタ端部ユーザによって観測される干渉を、回避または抑圧することができる。セル内共通再使用により、複数のセクタの境界に位置するユーザｕはこれらのセクタ内の他のユーザに割り当てられたサブバンドと直交したサブバンドを割り当てられる。従って、ユーザｕはこれらの他のユーザからのセル内干渉をほとんどまたは全く観測しないだろうし、また改善された性能が得られるだろう。セル内共通再使用の種々の実施例は後に説明される。
【００２２】
図４にセル内共通再使用の第１の実施例に従うサブバンドの共通セットおよびサブバンドのセクタ固有セットのベン図を示す。共通セットはＣと表示され、白い円で代表される。セクタ固有セットはＳと表示され、斜線の領域によって代表される。共通セットＣはセルのすべてのセクタのための共通のサブバンドを含む。セクタ固有セットＳは各セクタによってそのユーザに割り当てられるかもしれないサブバンドを含む。セットＣとＳにおけるサブバンドはデータ伝送のために利用可能なすべてのサブバンドの全セットから取られる。共通セットＣとセクタ固有セットＳは、各利用可能なサブバンドがセットＣまたはＳにのみ属するため、オーバラップしていない（すなわち、分離または互いに排他的）。
【００２３】
共通およびセクタ固有セットは以下のように定義される。
【００２４】
Ｓ＝Ω＼Ｃ    かつ  Ｓ∩Ｃ  ＝  Θ          式（１）
ここで、「＼」は差集合演算、
「∩」は積集合演算、
Ωはすべての利用可能なサブバンドを含む全集合、
Θは零／空集合を示す。
【００２５】
共通セットＣはシステム内のＮ個のサブバンド全体の中から選択されたサブバンドを含む。周波数ダイバーシチを実現するために、共通セットＣにおけるサブバンドは、後に説明するようにＮ個の全サブバンドにわたって分布される。セクタ固有セットＳは全セットΩと共通セットＣの間の差集合演算により形成されるかもしれない。共通セットのサイズは、例えば、セクタ端部ユーザの予想数、セルに関して必要な全体のスペクトル効率などのような種々の要因に基づいて選択されるかもしれない。共通セットサイズは、多くのユーザに対して干渉抑圧を提供しながら、システム帯域幅の効率的な利用を達成するように選択されるかもしれない。
【００２６】
各セクタはセクタ固有セットＳ内のサブバンドを、良好または公平なチャンネル状態を観測したユーザに割り当てるかもしれない。共通セットＣ内のサブバンドは不十分なチャンネル状態を観測した弱ユーザに割り当てられるかもしれない。セル内の１つのセクタまたはセル自体は、共通セットＣ内のサブバンドをセル内のすべての弱ユーザに割り当てるように指示されるかもしれない。共通セット内の各サブバンドはセル内のただ１つのユーザに割り当てられる。セットＣとＳはオーバラップしていないため、共通セットＣ内のサブバンドを割り当てられた弱ユーザは、セクタ固有セットＳ内のサブバンドを割り当てられた他のユーザからのセル内干渉をほとんどまたは全く観測しないだろう。
【００２７】
各セクタには、良好なチャンネル状態にあり高いＳＩＮＲを得ている強ユーザがあるかもしれない。これらの強ユーザは、順方向および／または逆方向リンク上の低電力伝送を適切に提供されるかもしれない。各セクタは、共通セットＣ内のサブバンドをその強ユーザに割り当てるかもしれない。また、これらのサブバンドを割り当てられた弱ユーザへの過大な干渉を引き起こすのを回避するために、これらのサブバンドに関する使用を制御または制限するかもしれない。例えば、強ユーザに対する共通セット内のサブバンド上のデータ伝送は、予め定めた送信電力限度以下に制限されるかもしれない。
【００２８】
共通セットＣは、「ソフタ」ハンドオフ中のユーザをサポートするために用いられるかもしれない。ソフタハンドオフは、ユーザが並行して同じセルの複数のセクタと交信する過程を指す。ソフタハンドオフは、複数セクタへの異なる信号経路を介してデータ送信または受信することによるダイバーシチ利得を提供することができる。ソフタハンドオフは、順方向リンク、逆方向リンク、または両リンク上でサポートされるかもしれない。
【００２９】
与えられたユーザｕが共通セットＣ内のサブバンドを割り当てられる場合、ユーザｕに対する順方向リンクのトラヒック／パケットデータは同じセルの中の１つ以上のセクタから送信されるかもしれない。トラヒックデータが単一のセクタから送信される場合、ユーザｕに割り当てられたサブバンドは、同じサブバンドを割り当てられた他のユーザとの十分な干渉分離度をユーザｕが得られる限り、他のセクタで再使用されるかもしれない。ユーザｕに対するトラヒックデータが、ソフタハンドオフのために複数のセクタから送られる場合、ユーザｕは複数伝送を通じて得たダイバーシチ利得から利益を得る。
【００３０】
ユーザｕが逆方向リンク上で送信する場合、ユーザｕからの逆方向リンクのデータ伝送は、同じセル内の１つ以上のセクタにより受信され復号されるかもしれない。セクタは共通配置されているため、これらのセクタによって得られたユーザｕに対するソフト判定シンボルは、復号性能を向上させるために結合され復号されるかもしれない。これは一般的に結合復号と呼ばれる。結合復号が実行される場合、ユーザｕはユーザｕからの逆方向リンク伝送を受信する複数のセクタによって得られるダイバーシチ利得から利益を得る。結合復号が実行されない場合、ユーザｕに割り当てられたサブバンドは他のセクタで再使用されるかもしれない。ユーザｕに割り当てられたサブバンドと同じサブバンドを割り当てられた他のユーザは、逆方向リンク上のユーザｕに対して無視できる程度の干渉となるように動作されるかもしれない。
【００３１】
図３Ｂに戻り、ユーザｖは、セクタ１と３の間の境界に位置しており、セクタ２からの干渉をほとんど観測しないかもしれない。同様に、セクタ１と２の間の境界に位置するユーザはセクタ３からの干渉をほとんど観測しないかもしれない。また、セクタ２と３の間の境界に位置するユーザはセクタ１からの干渉をほとんど観測しないかもしれない。すべてのセクタにではなく、セクタのペアに対して共通セットを定義することによって、帯域幅利用の改善が達成されるかもしれない。
【００３２】
図５Ａに、セル内共通再使用の第２の実施例に従う、Ｃ１２、Ｃ１３、およびＣ２３と表示される３つの共通サブバンドセットのベン図を示す。本実施例において、３つの共通セットは互いにオーバラップしない。共通セットＣ１２は同じセルのセクタ１および２に共通なサブバンドを含み、共通セットＣ１３はセクタ１および３に共通なサブバンドを含み、また、共通セットＣ２３はセクタ２および３に共通なサブバンドを含む。
【００３３】
各セクタｘにおいて、セクタ固有セットＳｘが、セクタｘのためにセクタｘ用の２つの共通セットＣｘｙおよびＣｘｚとオーバラップしないように定義されるかもしれない。ここでｘ∈｛１、２、３｝、ｙ∈｛１、２、３｝、ｚ∈｛１、２、３｝、ｘ≠ｙ、ｘ≠ｚ、ｙ≠ｚ。セクタ固有セットＳｘは共通セットＣｘｙおよびＣｘｚに含まれないすべての利用可能なサブバンドを含むかもしれない。セクタｘ用の共通およびセクタ固有セットは以下で定義されるかもしれない。
【００３４】
Ｓｘ＝Ω＼（Ｃｘｙ∪Ｃｘｚ）、  Ｃｘｙ∩Ｃｘｚ∩Ｃｙｚ＝Θ              式（２）
図５Ｂにセクタ１のための共通セットＣ１２並びにＣ１３およびセクタ固有セットＳ１のベン図を示す。共通セットＣ１２およびＣ１３は白い円でそれぞれ代表される。セクタ固有セットＳ１は斜線の領域によって代表される。セクタ固有セットＳ１は全セットΩ内にあって共通セットＣ１２およびＣ１３にはないすべてのサブバンドを含む。セクタ１はセクタ固有セットＳ１内のサブバンドを、セクタ内に位置し良好または公平なチャネル状態を観測している強い公平なユーザに割り当てるかもしれない。
【００３５】
図５Ｃにセクタ２のための共通セットＣ１２並びにＣ２３およびセクタ固有セットＳ２のベン図を示す。セクタ固有セットＳ２は全セットΩ内にあって共通セットＣ１２およびＣ２３にはないすべてのサブバンドを含む。セクタ２はセクタ固有セットＳ２内のサブバンドをセクタ内の強い公平なユーザに割り当てるかもしれない。
【００３６】
図５Ｄにセクタ３のための共通セットＣ１３並びにＣ２３およびセクタ固有セットＳ３のベン図を示す。セクタ固有セットＳ３は全セットΩ内にあって共通セットＣ１３およびＣ２３にはないすべてのサブバンドを含む。セクタ３はセクタ固有セットＳ３内のサブバンドを、セクタ内の強い公平なユーザに割り当てるかもしれない。
【００３７】
図５Ｂから５Ｄにおいて、共通セットＣ１２内のサブバンドは、セクタ１と２の間の境界に位置する弱ユーザに割り当てられるかもしれない。共通セットＣ１３内のサブバンドは、セクタ１と３の間の境界に位置する弱ユーザに割り当てられるかもしれない。共通セットＣ２３内のサブバンドは、セクタ２と３の間の境界に位置する弱ユーザに割り当てられるかもしれない。
【００３８】
セル内共通再使用の第２の実施例において、共通セットＣｘｙ内のサブバンドはセクタ固有セットＳｘおよびＳｙ内のサブバンドと直交している。したがって、セクタｘおよびｙの間の境界に位置する弱ユーザは共通セットＣｘｙ内のサブバンドを割り当てられるかもしれない。したがってこれらのユーザはセクタ固有セットＳｘとＳｙ内のサブバンドを割り当てられた他のユーザからのセル内干渉をほとんどまたは全く観測しないだろう。セル内共通再使用の第２の実施例は帯域幅利用を改良することもできる。共通セットＣｘｙ内のサブバンドは、セクタ固有セットＳｚに含まれ、セクタｚ内の強い公平なユーザに割り当てられるかもしれない。
【００３９】
第２の実施例の代替において、全セットΩ内にあって３つの共通セットＣ１２、Ｃ１３およびＣ２３には含まれないすべてのサブバンドを含むＳ１２３が次のように定義される。
【００４０】
Ｓ１２３＝Ω＼（Ｃ１２∪Ｃ１３∪Ｃ２３）            式（３）
各セクタｘはセクタ固有セットＳ１２３内のサブバンドを強い公平なユーザに割り当てるかもしれない。共通セットＣｘｙ内のサブバンドはセクタｘとｙの間の境界に位置する弱ユーザに割り当てられるかもしれない。また、共通セットＣｘｚ内のサブバンドはセクタｘとｚの間の境界に位置する弱ユーザに割り当てられるかもしれない。セクタｘは共通セットＣｙｚ内のサブバンドを強ユーザへ割り当てるかもしれない。この強ユーザは、セクタｙとｚの間の境界に位置しており、この共通セットＣｙｚ内のサブバンドを割り当てられた弱ユーザに対して起こす干渉は無視できる程度だろう。
【００４１】
ユーザは他の２つのセクタからの高い干渉を観測する可能性がある。共通セットは、良好な帯域幅利用を達成しながら、そのような不利なユーザに利用されるように定義されるかもしれない。
【００４２】
図６Ａにセル内共通再使用の第３実施例に従う４つの共通サブバンドセットＣ１２、Ｃ１３、Ｃ２３、およびＣ１２３のベン図を示す。共通セットＣ１２は同じセルのセクタ１および２に対して共通なサブバンドを含み、共通セットＣ１３はセクタ１および３に対して共通なサブバンドを含み、共通セットＣ２３はセクタ２および３に対して共通なサブバンドを含み、共通セットＣ１２３は３つのすべてのセクタ１、２、ならびに３に対して共通なサブバンドを含む。
【００４３】
各セクタｘにおいて、セクタ固有セットＳｘが、セクタｘのためにセクタｘ用の３個の共通セットＣｘｙ、ＣｘｚおよびＣｘｙｚとオーバラップしないように定義されるかもしれない。セクタ固有セットＳｘは共通セットＣｘｙ、Ｃｘｚ、およびＣｘｙｚに含まれていないすべての使用可能なサブバンドを含むかもしれない。セクタｘのための共通およびセクタ固有セットは以下のように定義されるかもしれない。
【００４４】
Ｓｘ＝Ω＼（Ｃｘｙ∪Ｃｘｚ∪Ｃｘｙｚ）、  Ｃｘｙ∩Ｃｘｚ∩Ｃｙｚ∩Ｃｘｙｚ＝Θ        式（４）
図６Ｂにセクタ１に対する共通セットＣ１２、Ｃ１３並びにＣ１２３およびセクタ固有セットＳ１のベン図を示す。共通セットＣ１２は縦線の領域によって代表され、共通セットＣ１３は格子の領域によって代表され、共通セットＣ１２３は白い円で代表され、セクタ固有セットＳ１は斜線の領域で代表される。セクタ固有セットＳ１は全セットΩ内にあって共通セットＣ１２、Ｃ１３およびＣ１２３には含まれないすべてのサブバンドを含む。セクタ１はセクタ固有セットＳ１内のサブバンドを、セクタ内の強い公平なユーザに割り当てるかもしれない。  
図６Ｃにセクタ２に対する共通セットＣ１２、Ｃ２３並びにＣ１２３およびセクタ固有セットＳ２のベン図を示す。セクタ固有セットＳ２は全セットΩ内にあって共通セットＣ１２、Ｃ２３およびＣ１２３には含まれないすべてのサブバンドを含む。セクタ２はセクタ固有セットＳ２内のサブバンドを、セクタ内の強い公平なユーザに割り当てるかもしれない。
【００４５】
図６Ｄにセクタ３に対する共通セットＣ１３、Ｃ２３並びにＣ１２３およびセクタ固有セットＳ３のベン図を示す。セクタ固有セットＳ３は全セットΩ内にあって共通セットＣ１３、Ｃ２３およびＣ１２３には含まれないすべてのサブバンドを含む。セクタ３はセクタ固有セットＳ３内のサブバンドを、セクタ内の強い公平なユーザに割り当てるかもしれない。
【００４６】
図６Ｂから６Ｄにおいて、共通セットＣ１２内のサブバンドは、セクタ１と２の間の境界に位置する弱ユーザに割り当てられるかもしれない。共通セットＣ１３内のサブバンドは、セクタ１と３の間の境界に位置する弱ユーザに割り当てられるかもしれない。共通セットＣ２３内のサブバンドは、セクタ２と３の間の境界に位置する弱ユーザに割り当てられるかもしれない。共通セットＣ１２３内のサブバンドは、３つのすべてのセクタ１、２および３の間の境界に位置する弱ユーザに割り当てられるかもしれない。
【００４７】
セル内共通再使用の第３の実施例において、共通セットＣｘｙ内のサブバンドはセクタ固有セットＳｘおよびＳｙ内のサブバンドと直交している。セクタｘおよびｙの間の境界に位置する弱ユーザは共通セットＣｘｙ内のサブバンドを割り当てられるかもしれない。したがってこれらのユーザはセクタ固有セットＳｘおよびＳｙ内のサブバンドを割り当てられた他のユーザからのセル内干渉をほとんどまたは全く観測しないだろう。共通セットＣｘｙｚ内のサブバンドはセクタ固有セットＳｘ、Ｓｙ、およびＳｚ内のサブバンドと直交している。３つのすべてのセクタｘ、ｙおよびｚの間の境界に位置する弱ユーザは共通セットＣｘｙｚ内のサブバンドを割り当てられるかもしれない。したがってこれらのユーザはセクタ固有セットＳｘ、ＳｙおよびＳｚ内のサブバンドを割り当てられた他のユーザからのセル内干渉をほとんどまたは全く観測しないだろう。第３の実施例は帯域幅利用を改良することもできる。共通セットＣｘｙ内のサブバンドはセクタ固有セットＳｚに含まれており、セクタｚ内の強い公平なユーザに割り当てられるかもしれない。セクタｘは共通セットＣｙｚ内のサブバンドを、セクタｙとｚの間の境界に位置しセットＣｙｚ内のサブバンドが割り当てられている弱ユーザに対して無視できる干渉を引き起こす強ユーザに割り当てるかもしれない。
【００４８】
図７に１つのセルの３つのセクタにおける、８つのユーザの分布例を示す。図７にセル内共通再使用の第３の実施例に基づくサブバンドの割当も示す。本例において、ユーザａはセクタ１に位置しており、セクタ固有セットＳ１からサブバンドを割り当てられる。ユーザｂはセクタ１および２の間に位置しており、共通セットＣ１２からサブバンドを割り当てられる。ユーザｃおよびｄはセクタ２に位置しており、セクタ固有セットＳ２からサブバンドを割り当てられる。ユーザｅはセクタ２および３の間に位置しており、共通セットＣ２３からサブバンドを割り当てられる。ユーザｆはセクタ３に位置しており、セクタ固有セットＳ３からサブバンドを割り当てられる。ユーザｇはセクタ１および３の間に位置しており、共通セットＣ１３からサブバンドを割り当てられる。ユーザｈはセクタ１、２および３の間に位置しており、共通セットＣ１２３からサブバンドを割り当てられる。
【００４９】
共通およびセクタ固有セットは種々の方法で形成されるかもしれない。ＯＦＤＭＡシステムにおいて、ＯＦＤＭによって作られたＮ個の全サブバンドが利用可能である。Ｎ個の全サブバンドのすべてまたはサブセットは、トラヒックデータ、パイロット、および信号を伝送するために用いられるかもしれない。通常、いくつかのサブバンドは伝送には用いられず、システムがスペクトルマスク要求を満足できるようにガードサブバンドとして利用される。簡明さのために、以下の説明は、Ｎ個の全サブバンドは伝送のために利用可能、すなわちガードサブバンドがないと仮定する。
【００５０】
図８Ａにセル内共通再使用の第１の実施例のための共通セットＣおよびセクタ固有セットＳを形成するための例を示す。本例において、Ｎ個の全サブバンドは、各グループがＬ個のサブバンドを含むＭ個のグループに配置される。ここで  Ｍ≧１、Ｌ＞１、Ｍ・Ｌ＝Ｎである。共通セットＣは各グループ内の１つ（例えば１番目）のサブバンドを含む。セクタ固有セットＳは各グループ内の残りのサブバンドを含む。一般に、共通セットは任意の数のサブバンドおよびＮ個の全サブバンドのいずれか１つを含むかもしれない。共通セットは、周波数ダイバーシチを達成するために、Ｎ個の全サブバンドから横断的に取られたサブバンドを含むかもしれない。共通セット内のサブバンドは、Ｎ個の全サブバンドにわたり、予め定めたパターン（例えば図８Ａに示すようなパターン）に基づいて分布されるかもしれない。あるいは、共通セット内のサブバンドは、Ｎ個の全サブバンドにわたり、疑似ランダムに分布されるかもしれない。
【００５１】
図８Ｂにセル内共通再使用の第２の実施例のための共通セットＣ１２、Ｃ１３、並びにＣ２３、およびセクタ固有セットＳ１、Ｓ２、並びにＳ３を形成するための例を示す。本例において、Ｎ個の全サブバンドは、図８Ａについて上で説明したようにＭ個のグループに配置される。共通セットＣ１２は各グループにおける１番目のサブバンドを含み、共通セットＣ１３は各グループにおける２番目のサブバンドを含み、共通セットＣ２３は各グループにおける３番目のサブバンドを含む。一般に、各共通セットは、２つの共通セットが同じサブバンドを含むことがないという制約を条件として、任意の数のサブバンドおよびＮ個の全サブバンドのいずれか１つを含むかもしれない。共通セットは同数のサブバンド（図８Ｂに示す）または異なる数のサブバンドを含むかもしれない。各共通セット内のサブバンドの数は種々の要因、例えば共通セットを割り当てられた弱ユーザの予測数などに依存するかもしれない。  各共通セットは、周波数ダイバーシチを達成するために、Ｎ個の全サブバンドから横断的に（例えばＮ個の全サブバンドにわたり均一にまたは疑似ランダムに分布して）取られたサブバンドを含むかもしれない。
【００５２】
セクタ固有セットＳ１は共通セットＣ１２およびＣ１３に含まれていないすべての使用可能なサブバンドを含む。セクタ固有セットＳ２は共通セットＣ１２およびＣ２３に含まれていないすべての使用可能なサブバンドを含む。セクタ固有セットＳ３は共通セットＣ１３およびＣ２３に含まれていないすべての使用可能なサブバンドを含む。
【００５３】
図８Ｃにセル内共通再使用の第３の実施例のための共通セットＣ１２、Ｃ１３、Ｃ２３、並びにＣ１２３およびセクタ固有セットＳ１、Ｓ２、並びにＳ３を形成するための例を示す。本例において、Ｎ個の全サブバンドは、図８Ａについて上で説明したようにＭ個のグループに配置される。共通セットＣ１２は各グループにおける１番目のサブバンドを含み、共通セットＣ１３は各グループにおける２番目のサブバンドを含み、共通セットＣ２３は各グループにおける３番目のサブバンドを含み、共通セットＣ１２３は各グループの４番目のサブバンドを含む。一般に、各共通セットは、２つの共通セットが同じサブバンドを含むことがないという制約を条件として、任意の数のサブバンドおよびＮ個の全サブバンドのいずれか１つを含むかもしれない。セクタ固有セットＳ１は共通セットＣ１２、Ｃ１３およびＣ１２３に含まれていないすべての使用可能なサブバンドを含む。セクタ固有セットＳ２は共通セットＣ１２、Ｃ２３およびＣ１２３に含まれていないすべての使用可能なサブバンドを含む。セクタ固有セットＳ３は共通セットＣ１３、Ｃ２３およびＣ１２３に含まれていないすべての使用可能なサブバンドを含む。
【００５４】
共通およびセクタ固有セットは種々の方法で定義されるかもしれない。一実施例において、共通およびセクタ固有セットは静的であり、変化しないかもしくはゆっくり変化する。別の実施例において、共通およびセクタ固有セットは、セクタの負荷および場合によっては他の要因に基づいて動的に定義されるかもしれない。例えば、各セクタのための共通セットは、時間と共に変化するかもしれないセクタ内の弱ユーザの数に依存しているかもしれない。指定されたセクタまたはセルは、種々のセクタに対する負荷情報を受信し、共通およびセクタ固有セットを定義し、かつこれらのセットをセクタに通知するかもしれない。本実施例はユーザの分布に基づくシステム資源の、より良い利用を可能にするかもしれない。
【００５５】
サブバンドの端末への割当を容易にするために、複数の直交した「トラヒック」チャンネルが各（共通またはセクタ固有）サブバンドセットに対して定義されるかもしれない。与えられたサブバンドセットにおいて、各サブバンドは任意の与えられた時間インターバル内のただ１個のトラヒックチャンネルに用いられ、各トラヒックチャネルは各時間インターバル内の０、１、または複数のサブバンドを割り当てられるかもしれない。各セクタ固有セットに対するトラヒックチャンネルは、互いに干渉せず、またセクタ固有セットとオーバラップしない共通セットに対するトラヒックチャネルと干渉しない。同様に、各共通セットに対するトラヒックチャンネルは、互いに干渉せず、また共通セットとオーバラップしないセクタ固有セットに対するトラヒックチャンネルと干渉しない。トラヒックチャンネルは異なる時間インターバルに対するサブバンドの割当を表す便利な方法と見なされるかもしれない。ユーザは、適切な（共通またはセクタ固有）サブバンドセットに対するトラヒックチャネルをユーザチャネル状態に依存して割り当てられるかもしれない。
【００５６】
ＯＦＤＭＡシステムは周波数ホッピング（ＦＨ）を用いるかもしれないし、用いないかもしれない。周波数ホッピングにより、データ伝送は疑似ランダムまたは決定論的にサブバンドからサブバンドへホップする。周波数ホッピングは有害な経路効果に対する周波数ダイバーシチおよび他のセル／セクタからの干渉のランダム化を提供できる。
【００５７】
図９に、ＦＨ−ＯＦＤＭＡシステムにおいて順方向および／または逆方向リンクに用いられるかもしれない周波数ホッピング方式９００を示す。図９に示す実施例において、与えられた（共通またはセクタ固有）サブバンドセット内のサブバンドは、Ｋ個のサブセットに配置され、各サブセットはＰ個のサブバンドを含む。ここでＫ＞１、Ｐ≧１である。各サブセット内のサブバンドは、そのセット内で隣接しているかもしれないし（図９に示す）、または隣接しないサブバンドであるかもしれない（例えばセットにわたり分布している）。
【００５８】
サブバンドセットに対する各トラヒックチャンネルは各「ホップ」期間に用いるＰ個のサブバンドの固有サブセットを示すＦＨパターンに関係づけられる。また、ＦＨパターンはＦＨ系列、ホップパターン、または他の用語で呼ばれるかもしれない。ホップ期間は与えられたサブセットに使われた時間の総量であり、Ｑ＞１としてＱ個のＯＦＤＭシンボル期間（または、単に「シンボル期間」）に渡る。サブバンドセット内の異なるトラヒックチャネルに対するＦＨパターンは互いに直交しており、２つのトラヒックチャネルがいずれの与えられたホップ期間においても同じサブバンドを用いるということはない。この特性は、セクタ内干渉を回避または最小にする。各トラヒックチャンネルに対するＦＨパターンは、異なるホップ期間に異なるサブバンドを疑似ランダムに選択するかもしれない。周波数ダイバーシチは、いくつかのホップ期間にわたって、セット内のすべてまたは多くのサブバンドを選択することにより達成される。セクタ間干渉をランダム化するために、各セクタ固有セットに対するＦＨパターンは他のセクタ固有セットに対するＦＨパターンとの関係において擬似ランダムであるかもしれない。
【００５９】
図１０にセル内共通再使用によりデータを伝送するためのプロセス１０００のフローチャートを示す。最初に、与えられたセクタｘの端末に対するチャンネル状態が決定される（ブロック１０１２）。チャンネル状態は、後に説明されるように種々の方法で確定され、端末が同じセル内の少なくとも１つの他のセクタからの高い干渉を観測するか否かを表示するかもしれない。端末は、その端末の少なくともチャネル状態に基づいてセクタｘに対する共通またはセクタ固有セットのいずれかの中のサブバンドを割り当てられる（ブロック１０１４）。共通セットおよびセクタ固有セットはオーバラップしない。セクタ固有セットはセクタｘ内の端末に割当可能なサブバンドを含む。共通セットは、セクタｘおよびセル内の少なくとも１つの他のセクタから、あったとしてもほとんど干渉を受けないサブバンドを含む。端末に対するデータは処理され、割り当てられたサブバンドで順方向および／または逆方向リンクを通じて伝送される（ブロック１０１６）。
【００６０】
各セクタは種々の方法でサブバンドをその端末に割り当てるかもしれない。例えば、端末の複数のグループが、各セクタに対して形成されるかもしれない。サブバンドの各セットに対して１つの端末グループ、また各グループ内の端末が関連するセット内のサブバンドを割り当てられるかもしれない。各端末は、端末に対するチャンネル状態、各セット内のサブバンド数、各セット内のサブバンドを共有する端末数、その他に基づいて、複数グループの１つに分類されるかもしれない。  次に、各グループ内の端末は、サービス品質（ＱｏＳ）、システム負荷、公平要求、他の情報、および／または他の考慮に基づいて、関連するセット内のサブバンドを割り当てられるかもしれない。
【００６１】
図１１にサブバンドを端末に割り当てるためのプロセス１１００のフローチャートを示す。プロセス１１００は、図１０のブロック１０１２および１０１４に用いられるかもしれない。プロセス１１００は、任意の時間インターバルであるかもしれない各スケジューリングインターバルにおいて、各セクタにより実行されるかもしれない。初めに、異なるセクタに対して端末によっておよび／または端末に対して異なるセクタによって測定値が求められる（ブロック１１１２）。各セクタは順方向リンク上でパイロットを送信するかもしれない。パイロットはシステム内の端末によって信号検出、タイミング並びに周波数同期、チャネル推定、その他のために用いられるかもしれない。通常、パイロットは、既知の方法で処理され送信される既知の変調シンボルで構成される。端末は、セクタによるデータ受信を容易にするために、逆方向リンク上でパイロットを送信するかもしれない。端末に対する測定値は順方向リンク上でセクタが送信するパイロット、逆方向リンク上で端末が送信するパイロット、および／または他の伝送に基づいているかもしれない。
【００６２】
一実施例において、端末はシステム内のセクタによって送信されたパイロットを探索し、一定数の最も高いパイロット測定値を利用中のセクタに報告する。他の実施例において、端末は、異なるサブバンドセットに関して観測された干渉を測定し、各サブバンドセットに対するチャンネル品質指標（ＣＱＩ）を導出し、異なるサブバンドセットに対するＣＱＩを利用中のセクタに送る。ＣＱＩは、サブバンドセットに対して端末が得た受信信号品質を示す。受信信号品質は、信号対干渉および雑音比（ＳＩＮＲ）、チップ当たりエネルギ対全雑音比（Ｅｃ／Ｎ０）、チップ当たりエネルギ対雑音比（Ｅｃ／Ｎｔ）、キャリア対干渉比（Ｃ／Ｉ）、または他の信号品質尺度により定量化されるかもしれない。ＣＱＩは、パイロット測定より短い時間で測定され報告されるかもしれない。従ってこれはサブバンドの高速割当、およびチャネル状態の速い変化へのより速い応答を可能にするだろう。さらに他の実施例において、セクタは、端末によって送信されたパイロットを測定し、パイロット測定値を利用中のセクタに報告する。
【００６３】
端末に対するセル内干渉は、端末に対して求めた測定値に基づいて決定される（ブロック１１１４）。順方向のリンクにおいて、セル内干渉は、同じセルの中にあって端末に向けて送信するように指示されていない全セクタに対するパイロット測定値に基づいて決定されるかもしれない。逆方向リンクにおいて、セル内干渉は、端末に対して同じセル内の全セクタによって行われるパイロット測定に基づいて決定されるかもしれない。端末はセル内干渉の測定も行い、測定値を利用中のセクタに報告するかもしれない。また、セル内干渉は端末の位置推定値に基づいて推定されるかもしれない。このようにセル内干渉は、種々の方法で、および種々の測定値に基づいて決定されるかもしれない。一般に、セル内干渉は、順方向リンクおよび／または逆方向リンク測定値に基づいて決定されるかもしれない。順方向および逆方向リンクは長い期間を見ると相反的であると仮定されるかもしれない。この場合、与えられたセクタに対して順方向リンク上で端末によってなされる強いパイロット測定は、そのセクタが順方向リンク上で強い干渉源となり、また逆方向リンク上で端末から強い干渉を受けるだろうということを意味するかもしれない。同じ推論は逆方向リンクのパイロット測定値にも当てはまる。
【００６４】
端末に対するセル内干渉は干渉しきい値と比較される（ブロック１１１６）。セル内干渉が、ブロック１１２０で決定されるように、しきい値を超える場合、端末は共通セットからサブバンドを割り当てられる。（ブロック１１２２）。そのほかの場合、端末は利用中のセクタ用のセクタ固有セットからサブバンドを割り当てられる（ブロック１１２４）。次に、割り当てられたサブバンドは端末に送られる（ブロック１１２６）。ブロック１１１２および１１１４は図１０のブロック１０１２に対応するかもしれない。またブロック１１１６から１１２４はブロック１０１４に対応するかもしれない。
【００６５】
一般に、端末は、例えば端末が観測するセル内干渉、端末に対するハンドオフ要求、サービス品質（ＱｏＳ）要求、端末の優先度、その他のような種々の要因に基づいて、共通セットまたはセクタ固有セットからサブバンドを割り当てられるかもしれない。共通セットかセクタ固有セットを用いるかの判定は異なるセクタからの直接または間接の入力（例えば、異なるセクタに対する／からの測定値）に基づいて決定されるかもしれない。
【００６６】
図１２に端末に割り当てられたサブバンド上でデータを送信するためのプロセス１２００のフローチャートを示す。プロセス１２００は順方向および／または逆方向リンク上のデータ送信用に用いられるかもしれない。端末に対するトラヒックデータはデータシンボルを生成するように処理（例えば、符号化およびシンボルマップ化）される（ブロック１２１２）。「データ」シンボルは、ここに用いられる場合、トラヒックデータ用の変調シンボルであり、「パイロット」シンボルはパイロット用の変調シンボルであり、変調シンボルは変調方式に対する信号コンステレーションの点の複素数値である。データシンボルは端末に割り当てられたサブバンドに写像される（ブロック１２１４）。パイロットシンボルおよび／または信号と同様に、写像されたデータシンボルは、さらに処理され、（１）１つ以上のセクタから順方向リンク上で端末へ、または（２）端末から逆方向リンク上で１つ以上のセクタへ送信される（ブロック１２１６）。
【００６７】
図１３に端末に割り当てられたサブバンド上でデータを受信するためのプロセス１３００のフローチャートを示す。プロセス１２００は順方向および／または逆方向リンク上のデータ受信用に用いられるかもしれない。端末に対する伝送信号は、（１）順方向リンクを介して端末により、または（２）逆方向リンクを介してセクタにより受信される（ブロック１３１２）。次に、端末が共通セット内かセクタ固有セット内のサブバンドを割り当てられたか（ブロック１３１４）、および端末に対してソフタハンドオフが実行されているかかどうか（ブロック１３１６）の判定がなされる。端末がセクタ固有セット内のサブバンドを割り当てられている場合、または、ソフタハンドオフが実行されていない場合、１つのセクタ（利用中セクタ）から／によって受信されるデータ伝送は、端末のための軟判定シンボルを得るために処理される（ブロック１３２２）。軟判定シンボルは、雑音およびその他のアーチファクトに起因する単一ビットにおける不確定さを捕捉するために用いられている付加的ビットを伴う、送信機から送られる単一ビット（または「硬」）値に対して受信機によって得られるマルチビット値である。次に、端末の軟判定シンボルは、端末のための復号データを得るために処理（例えば、検出、復号）される（ブロック１３２４）。
【００６８】
端末が共通セット内のサブバンドを割り当てられ、かつソフタハンドオフが実行されている場合、複数のセクタ（利用中セクタおよび少なくとも１つの他のセクタ）から／によって受信される端末のためのデータ伝送は、各セクタのための軟判定シンボルを得るために処理される（ブロック１３３２）。順方向リンク伝送において、端末は、改善された信号品質を有する結合軟判定シンボルを導出するために、複数のセクタに対して得られた軟判定シンボルを結合するかもしれない（ブロック１３３４）。逆方向リンク伝送において、利用セクタは、端末のために他のセクタによって得られた軟判定シンボルを受信するかもしれないし、また端末のための結合軟判定シンボルを導出するために、異なるセクタによって得られた軟判定シンボルを結合するかもしれない（同じくブロック１３３４）。いずれの場合においても、端末のための結合軟判定シンボルは、端末のための復号データを得るために復号される（ブロック１３３６）。
【００６９】
図１４にセクタｘ用の基地局１１０ｘ、セクタｙ用の基地局１１０ｙ、無線端末１２０、およびセルエンティティ１５０の一実施例のブロックダイアグラムを示す。基地局１１０ｘ、１１０ｙ、およびセルエンティティ１５０は１つのセルにおけるネットワークエンティティである。
【００７０】
基地局１１０ｘにおいて、符号器／変調器１４１２ｘは基地局１１０ｘによって提供されている各端末に対するトラヒックデータを受信し、端末用に選択された符号化および変調方式に基づいて、各端末に対してトラヒックデータを処理（例えば符号化、インターリーブおよびシンボル写像）し、各端末用のデータシンボルを生成する。シンボルからサブバンドへの写像器１４１４ｘは、制御器１４３０ｘからの制御信号の指示に従って、各端末用のデータシンボルを端末に割り当てられたサブバンドへ写像する。写像器１４１４ｘは、パイロット伝送に用いられるサブバンド上にパイロット信号を、伝送に用いない各サブバンドに対して零の信号値を提供する。各ＯＦＤＭシンボル期間で、写像器１４１４ｘは、Ｎ個の全サブバンドに対してＮ個の伝送シンボルを提供する。ここで、各伝送シンボルはデータシンボル、パイロットシンボル、または零信号値であるかもしれない。
【００７１】
ＯＦＤＭ変調器（Ｍｏｄ）１４１６ｘは、各ＯＦＤＭシンボル期間にＮ個の伝送シンボルを受信し、対応するＯＦＤＭシンボルを生成する。ＯＦＤＭ変調器１４１６ｘは通常、逆高速フーリエ変換（ＩＦＦＴ）ユニットおよび巡回プレフィックス発生器含む。各ＯＦＤＭシンボル期間において、ＩＦＦＴユニットは、Ｎ個の時間領域チップを含む「変換された」シンボルを得るために、Ｎ個の伝送シンボルをＮ点逆ＦＦＴにより時間領域へ変換する。各チップは１チップ期間に伝送される複素数値である。次に、巡回プレフィックス発生器は、Ｎ＋Ｃチップを含むＯＦＤＭシンボルを形成するために、各変換されたシンボルの一部分を繰り返す。ここでＣは繰り返されるチップ数である。繰り返された部分は、しばしば巡回プレフィックスと呼ばれ、周波数選択性フェージングに起因するシンボル間干渉（ＩＳＩ）を克服するために用いられる。ＯＦＤＭシンボル期間はＮ＋Ｃチップ期間である１つのＯＦＤＭシンボルの継続時間に対応している。ＯＦＤＭ変調器１４１６ｘはＯＦＤＭシンボルのストリームを提供する。送信機ユニット（ＴＭＴＲ）１４１８ｘは、アンテナ１４２０ｘから送信される変調信号を発生するためにＯＦＤＭシンボルストリームを処理（例えばアナログへの変換、フィルタリング、および周波数アップコンバージョン）する。
【００７２】
端末１２０において、１つ以上の基地局によって送信された変調信号はアンテナ１４５２で受信され、受信信号はサンプルを生成するために受信機に送られ処理される。１ＯＦＤＭシンボル期間に対するサンプルセットは１受信ＯＦＤＭシンボルを代表する。ＯＦＤＭ復調器（Ｄｅｍｏｄ）１４５６はサンプルを処理し、受信シンボルを提供する。これは基地局によって送信された送信シンボルの雑音を含む推定値である。ＯＦＤＭ復調器１４５６は通常、巡回プレフィックス除去ユニットおよびＦＦＴユニットを含む。巡回プレフィックス除去ユニットは、受信変換シンボルを得るために、各受信ＯＦＤＭシンボルにある巡回プレフィックスを除去する。ＦＦＴユニットは、Ｎ個の全サブバンドに対するＮ個の受信シンボルを得るために、  各受信変換シンボルを周波数領域へＮ点高速フーリエ変換を用いて変換する。サブバンドからシンボルへの逆写像器１４５８は、各ＯＦＤＭシンボル期間に渡ってＮ個の受信シンボルを得て、端末１２０に割り当てられたサブバンドのための受信シンボルを、制御器１４７０からの制御指示に従って提供する。次に、復調器／復号器１４６０は端末１２０への受信シンボルを処理（例えば、検出、デインターリービング、および復号）し、端末に復号したデータを提供する。
【００７３】
逆方向リンク伝送において、トラヒックデータは、端末１２０において、符号器／変調器１４６２によって処理され、シンボルからサブバンドへの写像器１４６４によって端末１２０に割り当てられたサブバンドに写像され、さらにＯＦＤＭ変調器１４６６によって処理され、送信機ユニット１４６８で調整され、アンテナ１４５２を通じて送信される。基地局１１０ｘにおいて、他の端末と同様に端末１２０からの変調信号はアンテナ１４２０ｘによって受信され、受信機ユニット１４２２ｘによって調整され、ＯＦＤＭ復調器１４２４ｘによって処理される。シンボルからサブバンドへの逆写像器１４２６ｘは、各ＯＦＤＭシンボル期間に渡ってＮ個の受信シンボルを得て、端末に割り当てられたサブバンドからの各端末のための受信シンボルを提供する。復調器／復号器デコーダ１４２８ｘは各端末に対する受信シンボルを処理し、端末に対する復号データを提供する。
【００７４】
基地局１１０ｙは順方向リンク上のデータを処理し、基地局１１０ｙと交信中の端末へ送信する。また、これらの端末から逆方向リンク上のデータを受信する。基地局１１０ｙによる処理は基地局１１０ｘによる処理と同様である。同じセル用の複数の基地局は、ソフタハンドオフのための軟判定シンボルを交換するかもしれない。これは図１４には示されない。
【００７５】
セル内共通再使用の一実施例において、各基地局１１０の制御器１４３０は、順方向および／または逆方向リンク上でデータ伝送を望んでいる端末を特定し、各端末に対するチャネル状態を確認し、各端末が共通セット内のサブバンドを割り当てられるべきかセクタ固有セット内のサブバンドを割り当てられるべきかを決定する。各端末に対するチャンネル状態は基地局１１０によってなされる逆方向リンク測定に基づいて確認されるかもしれないし、または端末によってなされた基地局へ報告される順方向リンク測定に基づいて確認されるかもしれない。各基地局のセクタスケジューラ１４３４は、セクタ固有セット内のサブバンド（または、トラヒックチャンネル）を端末に割り当て、これらの端末を、順方向および／または逆方向リンク上でのデータ伝送のためにスケジューリングする。各基地局は、次に、スケジューリングされた各端末に割り当てられたトラヒックチャネルを、例えば無線信号で提供する。セルエンティティ１５０内のセルスケジューラ１４３４ｗは、そのセル用の共通セット内のサブバンド（または、トラヒックチャンネル）を端末に割り当て、これらの端末をデータ伝送用にスケジューリングする。セルスケジューラ１４３４ｗは、セル内の端末のスケジューリングを調整するためにセクタスケジューラ１４３４ｘおよび１４３４ｙと交信するかもしれない。他の実施例において、単一のスケジューラが順方向および逆方向リンク上のデータ伝送のためにセル内のすべての端末をスケジューリングする。また、順方向および／または逆方向リンク伝送のための端末へのサブバンド割当は他の種々の方法でも実行されるかもしれない。
【００７６】
制御器１４３０ｘ、１４３０ｙ、１４３０ｗ、および１４７０は、それぞれ基地局１１０ｘ並びに１１０ｙ、セルエンティティ１５０、および端末１２０における動作を指示する。メモリユニット１４３２ｘ、１４３２ｙ、１４３２ｗ、および１４７２は、それぞれ制御器１４３０ｘ、１４３０ｙ、１４３０ｗ、および１４７０によって用いられるプログラムコードおよびデータを格納する。制御器１４３０ｘおよび１４３０ｙは、それぞれ基地局１１０ｘおよび１１０ｙと交信中の各端末のためのＦＨパターンを生成するような他の処理をデータ送信および受信のために実行するかもしれない。制御器１４７０は割り当てられたトラヒックチャンネルに基づいて端末１２０のためのＦＨパターンを生成するかもしれない。
【００７７】
明快さのために、セル内共通再使用は３セクタのセルを有するシステムに限定して説明してきた。一般に、セル内共通再使用は任意の数のセクタで用いられるかもしれない。Ｒ＞１として、Ｒセクタを有するセルにおいて、１つの共通セットが全セクタに対して形成されるかもしれないし（第１の実施例）、または、複数の共通セットが異なるセクタの組合せに対して形成されるかもしれない（第２および第３の実施例）。各セクタのためのセクタ固有セットはセルに対して定義された共通セットに基づいて形成されるかもしれない。
【００７８】
セル内共通再使用についての上記説明は１つのセルに対するものである。上で注意したように、システムは通常多くのセルを含む。セル内共通再使用はシステム内のセルに対して種々の方法で適用されるかもしれない。セル内干渉をランダム化するために、各セル内のセクタ固有セット用のＦＨパターンは、隣接セル内のセクタ固有セット用のＦＨパターンとの関係において疑似ランダムであるかもしれない。異なるセルのための共通セットは、種々の方法で定義され実行されるかもしれない。
【００７９】
一実施例において、同じ共通セットはシステム内のすべてのセルに用いられる。同じＦＨパターンが、隣接セル内の共通セットに用いられるかもしれない。これはセル間のソフトハンドオフを簡易化することができる。代替的には、共通セットは、異なる隣接セル用の共通および疑似ランダムＦＨパターン双方により定義されるかもしれない。共通ＦＨパターンは、異なるセル間のソフトハンドオフをサポートするために用いられるかもしれない。擬似ランダムＦＨパターンは、共通セット内のサブバンドを割り当てられた異なるセル内のユーザによって観測される干渉をランダム化できる。本実施例はシステムの周波数計画を簡素化する。さらに、共通セットが十分に大きく、その結果各ユーザが同じ強い干渉源と衝突することが頻繁にはないような場合には、十分な干渉平均化またはダイバーシチが実現されるかもしれない。他の実施例において、隣接セル用の共通セットはオーバラップしていない。本実施例において、１セル内の共通セット内のサブバンドを割り当てられたユーザは隣接セル内のユーザからのランダム化された干渉を観測する。本実施例は、特に小さい共通セルサイズに対して、より良好な干渉ダイバーシチを提供するかもしれない。さらに他の実施例において、各セル用の共通セットは隣接セル用の共通セットとの関係において疑似ランダムである。本実施例も良好な干渉ダイバーシチを提供するかもしれない。各セルは、共通およびセクタ固有セットを形成するためおよび／またはセット情報を交換するために隣接セルと交信するかもしれない。
【００８０】
セル内共通再使用をＯＦＤＭＡシステムに対して説明してきた。セル内共通再使用は時分割多元接続（ＴＤＭＡ）システム、周波数分割多元接続（ＦＤＭＡ）システム、符号分割多元接続（ＣＤＭＡ）システム、多搬送波ＣＤＭＡシステム、その他に用いられるかもしれない。ＴＤＭＡシステムは時分割多重化（ＴＤＭ）を用い、異なるユーザに対する伝送は異なる時間インターバルでの送信によって直交化される。ＦＤＭＡシステムは周波数分割多重（ＦＤＭ）を用い、異なるユーザに対する伝送は異なる周波数チャネルまたはサブバンドでの送信により直交化される。一般に、利用可能なシステム資源（例えば、周波数サブバンド／チャンネル、時間スロットなど）は共通およびセクタ固有セットに配置されるかもしれない。各セクタは上述したように共通およびセクタ固有セット内のシステム資源をユーザに割り当てるかもしれない。
【００８１】
セル内共通再使用は広域移動通信システム（ＧＳＭ）にも用いられるかもしれない。ＧＳＭシステムは１つ以上の周波数帯で作動するかもしれない。各周波数帯は、特定の範囲の周波数をカバーしており、多くの２００ｋＨｚ無線周波数（ＲＦ）チャンネルに分割される。各ＲＦチャンネルは特定のＡＲＦＣＮ（絶対無線周波数チャネル番号）によって特定される。例えば、ＧＳＭ９００の周波数帯はＡＲＦＣＮ１〜１２４をカバーしており、ＧＳＭ１８００の周波数帯はＡＲＦＣＮ５１２〜８８５をカバーしており、ＧＳＭ１９００の周波数帯はＡＲＦＣＮ５１２〜８１０をカバーしている。セル内共通再使用は、効率を改善しセル内干渉を抑圧するために用いられるかもしれない。ＧＳＭシステムのための利用可能なＲＦチャンネルは共通およびセクタ固有セットに配置されるかもしれない。次に各ＧＳＭセクタ（通常「ＧＳＭセル」と呼ばれる）は、セクタ固有セット内のＲＦチャネルを強く公平なユーザへ割り当て、共通セット内のＲＦチャネルを弱ユーザに割り当てるかもしれない。セル内共通再使用により、各ＧＳＭセルは、より高いスペクトル効率を達成するために、利用可能なＲＦチャンネルの中のより大きい部分を用いることができるかもしれない。
【００８２】
ここに説明されたセル内共通再使用方法は、種々の手段で実施されるかもしれない。例えば、これらの方法はハードウェア、ソフトウェア、またはそれらの組み合わせで実施されるかもしれない。ハードウェアの実施において、基地局でセル内共通再使用をサポートするために用いられる処理ユニットは、１つ以上の特定用途向ＩＣ（ＡＳＩＣ）、ディジタル信号プロセッサ（ＤＳＰ）、ディジタル信号処理デバイス（ＤＳＰＤ）、プログラマブル論理デバイス（ＰＬＤ）、プログラマブルゲートアレイ（ＦＰＧＡ）、プロセッサ、コントローラ、マイクロコントローラ、マイクロプロセッサ、ここに説明された機能を実行するように設計された他の電子ユニット、またはそれらの組み合わせで実施されるかもしれない。端末でセル内共通再使用をサポートするために用いられる処理ユニットは、１つ以上のＡＳＩＣ、ＤＳＰなどで実施されるかもしれない。
【００８３】
ソフトウェア実施において、セル内共通再使用技術は、ここに説明された機能を実行するモジュール（例えば、手順、機能その他）で実施されるかもしれない。ソフトウェアコードは、メモリユニット（例えば、図１４のメモリユニット１４３２ｘ、１４３２ｙ、１４３２ｗ、または１４７２）に格納されるかもしれないし、またプロセッサ（例えば、制御器１４３０ｘ、１４３０ｙ、１４３０ｗ、または１４７０）によって実行されるかもしれない。メモリユニットは、プロセッサ内、またはプロセッサの外部で実施されるかもしれない。
【００８４】
開示実施例のこれまでの説明は、どのような当業者も本発明を製造しまたは使用することを可能にするように提供されている。これらの実施例への種々の変更は当業者に容易に明らかになるだろう。また、ここに定義した原理は本発明の精神または範囲から逸脱することなく他の実施例に適用されるかもしれない。したがって、本発明は、ここに示した実施例に制限されることを意図していず、ここに開示した原理および新規な機能に矛盾しない最も広い範囲と一致するということである。
【図面の簡単な説明】
【００８５】
【図１】無線通信システムを示す。
【図２】セクタ用の代表的アンテナ放射パターンを示す。
【図３Ａ】３つのセクタを備えたセルを示す。
【図３Ｂ】セル内の２ユーザにより観測されるセル内干渉を示す。
【図４】セル内共通再使用の第１の実施例のための共通セットおよびセクタ固有セットを示す。
【図５Ａ】セル内共通再使用の第２の実施例のための３つの共通セットおよび３つのセクタ固有セットを示す。
【図５Ｂ】セル内共通再使用の第２の実施例のための３つの共通セットおよび３つのセクタ固有セットを示す。
【図５Ｃ】セル内共通再使用の第２の実施例のための３つの共通セットおよび３つのセクタ固有セットを示す。
【図５Ｄ】セル内共通再使用の第２の実施例のための３つの共通セットおよび３つのセクタ固有セットを示す。
【図６Ａ】セル内共通再使用の第３の実施例のための４つの共通セットおよび３つのセクタ固有セットを示す。
【図６Ｂ】セル内共通再使用の第３の実施例のための４つの共通セットおよび３つのセクタ固有セットを示す。
【図６Ｃ】セル内共通再使用の第３の実施例のための４つの共通セットおよび３つのセクタ固有セットを示す。
【図６Ｄ】セル内共通再使用の第３の実施例のための４つの共通セットおよび３つのセクタ固有セットを示す。
【図７】セルの３つのセクタにおける８ユーザの分布を示す。
【図８Ａ】セル内共通再使用の第１の実施例のための共通およびセクタ固有セットの構成を示す。
【図８Ｂ】セル内共通再使用の第２の実施例のための共通およびセクタ固有セットの構成を示す。
【図８Ｃ】セル内共通再使用の第３の実施例のための共通およびセクタ固有セットの構成を示す。
【図９】周波数ホッピング方式を示す。
【図１０】セル内共通再使用でのデータ伝送のための処理を示す。
【図１１】端末にサブバンドを割り当てるための処理を示す。
【図１２】割り当てられたサブバンド上でデータを送信するための処理を示す。
【図１３】割り当てられたサブバンド上でデータを受信するための処理を示す。
【図１４】２つの基地局、セルエンティティ、および端末を示す。
【図１】
2008502280.tif 000003
【図２】
2008502280.tif 000004
【図３Ａ】
2008502280.tif 000005
【図３Ｂ】
2008502280.tif 000006
【図４】
2008502280.tif 000007
【図５Ａ】
2008502280.tif 000008
【図５Ｂ】
2008502280.tif 000009
【図５Ｃ】
2008502280.tif 000010
【図５Ｄ】
2008502280.tif 000011
【図６Ａ】
2008502280.tif 000012
【図６Ｂ】
2008502280.tif 000013
【図６Ｃ】
2008502280.tif 000014
【図６Ｄ】
2008502280.tif 000015
【図７】
2008502280.tif 000016
【図８Ａ】
2008502280.tif 000017
【図８Ｂ】
2008502280.tif 000018
【図８Ｃ】
2008502280.tif 000019
【図９】
2008502280.tif 000020
【図１０】
2008502280.tif 000021
【図１１】
2008502280.tif 000022
【図１２】
2008502280.tif 000023
【図１３】
2008502280.tif 000024
【図１４】
2008502280.tif 000025
【国際調査報告】
2008502280.tif 000026
2008502280.tif 000027